(57)【要約】      （修正有）【課題】方立の強度が高く、横幅が小さくかつ外観がシンプルな連窓を提供する。【解決手段】複数の窓サッシのうちの隣り合う第一窓サッシ３０の第一縦枠３４と第二窓サッシ４０の第二縦枠４４とが、該第一縦枠３４の第一開口側脚部３６と該第二縦枠４４の第二開口側脚部４６が前記横方向において対向するように配置され、その間に方立５０が介装されている連窓１０であって、前記方立５０は、前記第一縦枠３４に設けられた第一Ｃ型断面部３５の内部に入り込んだ中空形状の本体部５２であって、前記内部において該本体部５２は前記横方向における挿入側の端と前記第一Ｃ型断面部３５の非開口側部分３５ａとの間に隙間を有し、該本体部５２の前記横方向における挿入側とは反対側に形成され、前記第二縦枠４４に設けられた第二Ｃ型断面部４５の内部において該第二縦枠４４に係止固定された一対の外向き片５６とを有することを特徴とする。【選択図】図１
2015232227.tif 000002
【特許請求の範囲】
【請求項１】
一対の開口側脚部を備えたＣ型断面部が設けられた縦枠を有し、横方向に連続して形成される複数の窓サッシを備え、
前記複数の窓サッシのうちの隣り合う第一窓サッシの第一縦枠と第二窓サッシの第二縦枠とが、該第一縦枠の第一開口側脚部と該第二縦枠の第二開口側脚部が前記横方向において対向するように配置され、
前記第一縦枠と前記第二縦枠との間に方立が介装されている連窓であって、
前記方立は、
一対の前記第一開口側脚部間に挿入されることにより、前記第一縦枠に設けられた第一Ｃ型断面部の内部に入り込んだ中空形状の本体部であって、前記内部において該本体部の前記横方向における挿入側の端と前記第一Ｃ型断面部の非開口側部分との間に隙間を有する本体部と、
該本体部の前記横方向における挿入側とは反対側に形成され、前記第二縦枠に設けられた第二Ｃ型断面部の内部において該第二縦枠に係止固定された一対の外向き片と、
を有することを特徴とする連窓。
【請求項２】
請求項１に記載の連窓であって、
前記方立は、前記横方向に前記第二Ｃ型断面部に向かって延出し、延出先が該第二Ｃ型断面部の非開口側部分に当接する延出部を備え、
前記外向き片は、前記横方向と交差する交差外方向に突出しており、
前記第二縦枠は、前記交差外方向と逆向きの交差内方向に突出した第二内向き片を備えており、
前記外向き片が前記第二内向き片よりも前記延出先側に位置した状態で該第二内向き片に引っ掛かることにより、前記方立が前記第二縦枠に嵌められていることを特徴とする連窓。
【請求項３】
請求項２に記載の連窓であって、
前記第二内向き片は、前記第二開口側脚部よりも前記横方向において前記延出先側に位置し、
前記第二内向き片と前記第二開口側脚部との間に乾式止水材が設けられていることを特徴とする連窓。
【請求項４】
請求項３に記載の連窓であって、
前記第一縦枠は、前記横方向と交差する交差内方向に突出した第一内向き片を備えており、
前記第一内向き片と前記第一開口側脚部との間に乾式止水材が設けられていることを特徴とする連窓。
【発明の詳細な説明】
【技術分野】
【０００１】
本発明は、連窓に関する。
【背景技術】
【０００２】
横方向に連続して形成される複数の窓サッシを備える連窓は既によく知られている。このような連窓の中には、当該窓サッシの縦枠に、一対の開口側脚部を備えたＣ型断面部が設けられたアルミニウム合金の押出形材からなるものがある。
【０００３】
そして、このような連窓においては、  前記複数の窓サッシのうちの第一窓サッシの第一縦枠とこれに隣り合う第二窓サッシの第二縦枠が、該第一縦枠の第一開口側脚部と該第二縦枠の第二開口側脚部が前記横方向において対向するように配置され、前記第一縦枠と前記第二縦枠との間に方立が介装されている。
【先行技術文献】
【特許文献】
【０００４】
【特許文献１】実用新案登録第２５９１６３８号公報
【発明の概要】
【発明が解決しようとする課題】
【０００５】
従来の連窓においては、以下の課題があった。第一に、方立は窓サッシの縦枠同士を連結する役割を果たすものであるから、方立には強度が要求されるが、従来の連窓においては、この強度が不十分である場合があった。
【０００６】
第二に、従来の連窓においては、横方向において互いに対向する前記第一開口側脚部と前記第二開口側脚部との間に方立の一部が物理的に存在していた。そのため、連窓の横幅調整の際に、第一窓サッシを第二窓サッシに近づけて横幅を小さくしようとしたときに、互いに近づく第一開口側脚部及び第二開口側脚部が前記方立の一部に干渉してしまい、方立部分の横幅（見付け寸法）をあまり小さくできないという不具合があった。
【０００７】
第三に、従来の連窓においては、見込み方向における縦枠の外側に、方立が露出していた。すなわち、見込み方向における縦枠の最も室内側の端よりもさらに室内側に方立が位置していたり、見込み方向における縦枠の最も室外側の端よりもさらに室外側に方立が位置していたりしていた。そのため、当該はみ出した方立により、連窓の外観がシンプルでなくあまり美しくないものとなっていた。
【０００８】
本発明は、かかる課題に鑑みてなされたものであり、その目的とするところは、方立の強度が高く、横幅が小さくかつ外観がシンプルな連窓を実現することにある。
【課題を解決するための手段】
【０００９】
かかる目的を達成するために本発明の連窓は、一対の開口側脚部を備えたＣ型断面部が設けられた縦枠を有し、横方向に連続して形成される複数の窓サッシを備え、
前記複数の窓サッシのうちの隣り合う第一窓サッシの第一縦枠と第二窓サッシの第二縦枠とが、該第一縦枠の第一開口側脚部と該第二縦枠の第二開口側脚部が前記横方向において対向するように配置され、
前記第一縦枠と前記第二縦枠との間に方立が介装されている連窓であって、
前記方立は、
一対の前記第一開口側脚部間に挿入されることにより、前記第一縦枠に設けられた第一Ｃ型断面部の内部に入り込んだ中空形状の本体部であって、前記内部において該本体部の前記横方向における挿入側の端と前記第一Ｃ型断面部の非開口側部分との間に隙間を有する本体部と、
該本体部の前記横方向における挿入側とは反対側に形成され、前記第二縦枠に設けられた第二Ｃ型断面部の内部において該第二縦枠に係止固定された一対の外向き片と、
を有することを特徴とする連窓である。
【００１０】
このような連窓によれば、方立が中空形状の本体部を備えているので、方立の強度を向上させることが可能となる。また、連窓の横幅調整の際に、第一窓サッシを第二窓サッシに近づけて横幅を小さくしようとしたときに、互いに近づく第一開口側脚部及び第二開口側脚部が方立の一部に干渉することが回避され、かつ、横幅を小さくできるような構成上の工夫が成されている。また、方立をＣ型断面部の内部になるべく収めて連窓の外観を従来よりもシンプルにするような構成上の工夫が成されている。そのため、方立の強度が高く、横幅が小さくかつ外観がシンプルな連窓を実現することが可能となる。
【００１１】
かかる連窓であって、前記方立は、前記横方向に前記第二Ｃ型断面部に向かって延出し、延出先が該第二Ｃ型断面部の非開口側部分に当接する延出部を備え、
前記外向き片は、前記横方向と交差する交差外方向に突出しており、
前記第二縦枠は、前記交差外方向と逆向きの交差内方向に突出した第二内向き片を備えており、
前記外向き片が前記第二内向き片よりも前記延出先側に位置した状態で該第二内向き片に引っ掛かることにより、前記方立が前記第二縦枠に嵌められていることが望ましい。
【００１２】
このような連窓によれば、ビスの数を減らしたり目板や目板カバーを省略したりすることが可能となり、部品点数を減らすことができる。
【００１３】
かかる連窓であって、前記第二内向き片は、前記第二開口側脚部よりも前記横方向において前記延出先側に位置し、
前記第二内向き片と前記第二開口側脚部との間に乾式止水材が設けられていることが望ましい。
【００１４】
このような連窓によれば、第二内向き片に二種類の機能（外向き片を引っ掛けるための機能と、乾式止水材を設けるための機能）を持たせることにより、効率的な構成を備えた連窓が実現される。さらに、このことにより、湿式止水材ではなく、乾式止水材を用いることができ、外壁へのシーリング材の汚れ等を抑えることが可能となる。
【００１５】
かかる連窓であって、前記第一縦枠は、前記横方向と交差する交差内方向に突出した第一内向き片を備えており、
前記第一内向き片と前記第一開口側脚部との間に乾式止水材が設けられていることが望ましい。
【００１６】
このような連窓によれば、止水機能が向上することとなる。
【発明の効果】
【００１７】
本発明によれば、方立の強度が高く、横幅が小さくかつ外観がシンプルな連窓を実現することが可能となる。
【図面の簡単な説明】
【００１８】
【図１】連窓１０の横方向における中央部付近を示した横断面図である。
【図２】連窓１０の縦断面図である。
【図３】連窓１０の正面概念図である。
【図４】連窓１０の横方向における端部付近を示した横断面図である。
【図５】第二実施形態に係る連窓１０の横方向における中央部付近を示した横断面図である。
【図６】第三実施形態に係る連窓１０の横方向における中央部付近を示した横断面図である。
【図７】第四実施形態に係る連窓１０の横方向における中央部付近を示した横断面図である。
【発明を実施するための形態】
【００１９】
＝＝＝本実施の形態に係る連窓１０について＝＝＝
本実施の形態に係る連窓１０について、図１乃至図４を用いて説明する。図１は、連窓１０の横方向における中央部付近を示した横断面図である。図２は、連窓１０の縦断面図である。図３は、連窓１０の正面概念図である。図４は、連窓１０の横方向における端部付近を示した横断面図である。
【００２０】
なお、以下の説明においては、連窓１０を室内側から見たときに、上下となる方向を上下方向、左右となる左右方向を横方向、室内外方向である奥行き方向を見込み方向として示す。
【００２１】
連窓１０は、窓サッシ２０が連なったものである。本実施の形態に係る連窓１０は、横方向に窓サッシ２０が連なった所謂横連窓である。なお、横方向に連なる窓サッシ２０の数は、二以上（複数）であり、その数に特に制限はないが、以下では、説明を簡便にするために、二つの窓サッシ２０（第一窓サッシ３０及び第二窓サッシ４０）を備えた連窓１０を例に挙げて説明する。
【００２２】
連窓１０は、横方向に連続して形成される複数（本実施の形態においては、二つ）の窓サッシ２０と、方立５０と、乾式止水材７０と、を有している。なお、本実施の形態においては、左右方向における左側の窓サッシ２０を第一窓サッシ３０、右側の窓サッシ２０を第二窓サッシ４０とする。
【００２３】
窓サッシ２０は、枠体２２と障子２６とを有している。枠体２２は、上枠２３と下枠２４と左右の（二つの）縦枠２５とを備えている。そして、枠体２２は、これら４つの枠体が矩形状に枠組みされて、全体として開口（枠体開口）を形成している。上枠２３と下枠２４は、左右方向（横方向）に延びた長尺状の部材であり、縦枠２５は、上下方向に延びた長尺状の部材である。障子２６は、枠体２２により形成された前記枠体開口に収容される部材であり、ガラス２６ａを備えている。
【００２４】
また、連窓１０は、躯体８０により形成された開口（躯体開口）に設けられている。したがって、連窓１０の外側に位置する枠体２２（本実施の形態においては、図３に示すように、第一窓サッシ３０及び第二窓サッシ４０の上枠２３と、第一窓サッシ３０及び第二窓サッシ４０の下枠２４と、第一窓サッシ３０の外側（左側）の縦枠２５（第一外縦枠３２と呼ぶ）と第二窓サッシ４０の外側（右側）の縦枠２５（第二外縦枠４２と呼ぶ））は、鉄筋コンクリート製の躯体８０と対向している。そして、これらの外側に位置する枠体２２（以下、便宜上、外枠体２２ａと呼ぶ）は、躯体８０に連結（固定）されている。
【００２５】
すなわち、図２及び図４に示すように、外枠体２２ａにはブラケット７４が設けられている。そして、躯体８０に設けられた差筋アンカー７５にこのブラケット７４が溶接されることにより、連窓１０（窓サッシ２０）が躯体８０に連結され、位置決めされている。なお、図２には、上枠２３及び下枠２４が躯体８０に連結された様子が示されている。また、図４には、第一外縦枠３２が躯体８０に連結された様子が示されている（第二外縦枠４２が躯体８０に連結された様子は図示していないが、第一外縦枠３２の例と同様である）。
【００２６】
一方で、連窓１０の内側に位置する内枠体２２ｂ（本実施の形態においては、図３に示すように、第一窓サッシ３０の内側（右側）の縦枠２５である第一内縦枠３４と第二窓サッシ４０の内側（左側）の縦枠２５である第二内縦枠４４。第一内縦枠３４及び第二内縦枠４４は、それぞれ第一縦枠及び第二縦枠に相当）は、それぞれが躯体８０とは対向しておらず、双方の内枠体２２ｂ（縦枠２５）が互いに対向している。
【００２７】
すなわち、第一内縦枠３４は及び第二内縦枠４４は、横断面（換言すれば、面外方向が上下方向に沿った断面）においてＣ型を備えるＣ型断面部（第一内縦枠３４に設けられた第一Ｃ型断面部３５及び第二内縦枠４４に設けられた第二Ｃ型断面部４５）を有している（本実施の形態においては、第一内縦枠３４全体（第二内縦枠４４全体）が第一Ｃ型断面部３５（第二Ｃ型断面部４５）となっている）。そして、第一窓サッシ３０の第一内縦枠３４と第二窓サッシ４０の第二内縦枠４４が、第一内縦枠３４の第一Ｃ型断面部３５の一部分である第一開口側脚部３６と第二内縦枠４４の第二Ｃ型断面部４５の一部分である第二開口側脚部４６が横方向において対向するように、配置されている。
【００２８】
縦枠２５の横断面について、図１を参照しつつ、さらに詳しく説明する。本実施の形態に係る第一Ｃ型断面部３５は、矩形のＣ型形状を有し、横方向における右側（第二Ｃ型断面部４５に近い側）に開口を備えている。第一Ｃ型断面部３５には、当該開口が入り口となる内部空間が形成されている。そして、第一Ｃ型断面部３５は、この開口を挟んで当該開口よりも見込み方向において室外側と室内側にそれぞれ位置し、見込み方向に沿った一対の第一開口側脚部３６（第一室外側脚部３６ａ及び第一室内側脚部３６ｂ）と、当該第一開口側脚部３６よりも左側（第二Ｃ型断面部４５から遠い側）に設けられ、見込み方向に沿った第一非開口側部分３５ａと、を備えている。さらに、第一Ｃ型断面部３５は、第一室外側脚部３６ａと第一非開口側部分３５ａとを連結し、室外側に露出した状態で横方向に沿った第一室外側連結部分３５ｂと、第一室内側脚部３６ｂと第一非開口側部分３５ａとを連結し、室内側に露出した状態で横方向に沿った第一室内側連結部分３５ｃと、を備えている。
【００２９】
一方、第二Ｃ型断面部４５も、第一Ｃ型断面部３５と同様の構成を備えているが、開口の向きが異なっている。すなわち、本実施の形態に係る第二Ｃ型断面部４５は、矩形のＣ型形状を有し、横方向における左側（第一Ｃ型断面部３５に近い側）に開口を備えている。そして、第二Ｃ型断面部４５と第一Ｃ型断面部３５は、互いに線対称な位置関係にある。
【００３０】
第二Ｃ型断面部４５には、当該開口が入り口となる内部空間が形成されている。そして、第二Ｃ型断面部４５は、この開口を挟んで当該開口よりも見込み方向において室外側と室内側にそれぞれ位置し、見込み方向に沿った一対の第二開口側脚部４６（第二室外側脚部４６ａ及び第二室内側脚部４６ｂ）と、当該第二開口側脚部４６よりも右側（第一Ｃ型断面部３５から遠い側）に設けられ、見込み方向に沿った第二非開口側部分４５ａと、を備えている。さらに、第二Ｃ型断面部４５は、第二室外側脚部４６ａと第二非開口側部分４５ａとを連結し、室外側に露出した状態で横方向に沿った第二室外側連結部分４５ｂと、第二室内側脚部４６ｂと第二非開口側部分４５ａとを連結し、室内側に露出した状態で横方向に沿った第二室内側連結部分４５ｃと、を備えている。
【００３１】
そして、第一室外側脚部３６ａと第二室外側脚部４６ａの見込み方向における位置が一致した状態で、第一室外側脚部３６ａと第二室外側脚部４６ａが対向し、また、第一室内側脚部３６ｂと第二室内側脚部４６ｂの見込み方向における位置が一致した状態で、第一室内側脚部３６ｂと第二室内側脚部４６ｂが対向している。
【００３２】
また、内縦枠は、室外側連結部分の非端部から交差内方向（つまり、横方向と交差する交差方向（すなわち、見込み方向）かつ内側へ向かう方向）に突出した突出片を備えている。すなわち、第一内縦枠３４は、第一室外側連結部分３５ｂの非端部から交差内方向に突出した第一内縦枠突出片３７（第一内向き片に相当）を備えている。また、第二内縦枠４４は、第二室外側連結部分４５ｂの非端部から交差内方向に突出した第二内縦枠突出片４７（第二内向き片に相当）を備えている。双方の突出片は、後述する乾式止水材７０を支持する役割を果たす。また、第二内縦枠突出片４７は、方立５０を第二内縦枠４４に嵌める役割を果たす。なお、本実施の形態においては、突出片の先端が鉤状に曲がっている。また、これらの突出片の詳細については、後述する。
【００３３】
方立５０は、隣り合う窓サッシ２０（本実施の形態においては、第一窓サッシ３０と第二窓サッシ４０）を連結するためのものである。この方立５０は、第一窓サッシ３０の第一内縦枠３４（第一Ｃ型断面部３５）と第二窓サッシ４０の第二内縦枠４４（第二Ｃ型断面部４５）との間に介装されている。なお、方立５０は、第二内縦枠４４には固定されているが、第一内縦枠３４には固定されていない（詳細については、後述する）。
【００３４】
方立５０は、本体部５２と、方立突出片５６（外向き片に相当）と、方立延出部６０（延出部に相当）と、を備えている。以下、方立５０の横断面について、図１を参照しつつ、詳しく説明する。
【００３５】
本体部５２は、横方向において最も左側（第一Ｃ型断面部３５側）に位置し、見込み方向に沿った左側部５２ａと、当該左側部５２ａの両端から右側（第二Ｃ型断面部４５側）へ延び、横方向に沿った室外側部５２ｂ及び室内側部５２ｃと、両端が室外側部５２ｂ及び室内側部５２ｃ（本実施の形態においては、室外側部５２ｂ及び室内側部５２ｃの非端部）と繋がり、見込み方向に沿った右側部５２ｄと、を有している。したがって、当該本体部５２は、左側部５２ａ、室外側部５２ｂ、室内側部５２ｃ、右側部５２ｄに囲まれた部分に中空部を備えている。すなわち、本体部５２は、中空形状を有している。
【００３６】
この本体部５２は、一対の第一開口側脚部３６間（第一室外側脚部３６ａと第一室内側脚部３６ｂとの間。つまり、第一Ｃ型断面部３５の前述した開口）に挿入されることにより、第一Ｃ型断面部３５の内部（前記内部空間）に入り込んでいる。また、当該内部において当該本体部５２の横方向における挿入側の端（つまり、前記左側部５２ａ）と第一Ｃ型断面部３５の第一非開口側部分３５ａとの間に隙間Ｇを有している。
【００３７】
そして、方立５０（本体部５２）と第一内縦枠３４（第一Ｃ型断面部３５）は、このような位置関係で互いに固定されず、連窓１０の施工作業中に方立５０と第一内縦枠３４の相対位置を横方向に変更することができるようになっている。
【００３８】
すなわち、連窓１０を施工する際には、先ず、方立５０を第二窓サッシ４０に固定して双方を一体化し、かつ、方立５０の本体部５２を第一窓サッシ３０の一対の第一開口側脚部３６間に挿入させた状態で、第一窓サッシ３０と一体化部材（方立５０及び第二窓サッシ４０）とを前述した躯体８０の躯体開口に収める。そして、躯体開口の横方向における開口幅に連窓１０の横幅（つまり、第一窓サッシ３０の左端から第二窓サッシ４０の右端までの幅）が合うように、当該横幅の調整を行う。すなわち、躯体開口の当該開口幅は、設計値から誤差分狭かったり広かったりする可能性がある。そして、連窓１０の横幅の調整により、この誤差分を吸収することができる。
【００３９】
そして、当該横幅調整は、第一窓サッシ３０と一体化部材とが躯体開口に収まった状態で、本体部５２を第一開口側脚部３６間の開口に対し横方向に相対移動させて、挿入深さ（つまり、一対の第一開口側脚部３６間に本体部５２がどれだけ深く挿入されているか、換言すれば、第一Ｃ型断面部３５の内部に本体部５２がどれだけ深く入り込んでいるか）を調整することにより実現される。横幅調整が完了すると、差筋アンカー７５とブラケット７４の溶接により、第一窓サッシ３０と一体化部材の第二窓サッシ４０がそれぞれ躯体８０に連結され、位置決めされる。なお、位置決め完了後（溶接後）には、前述した本体部５２の相対移動（相対位置の変更）は不可能となる。
【００４０】
このように、方立５０と第一内縦枠３４（第一Ｃ型断面部３５）は、連窓１０の横幅調整のために、固定がされないようになっている。一方で、前述したとおり、方立５０と第二内縦枠４４（第二Ｃ型断面部４５）は、固定が成されている。本実施の形態において、この固定は二種類の方法で行われている。すなわち、以下で説明するように、室外側と室内側とでは、異なる方法で固定が行われている。
【００４１】
方立突出片５６は、方立５０を第二内縦枠４４に固定するために方立５０に形成された部分であり、本実施の形態においては、二つの方立突出片５６（室外側方立突出片５７及び室内側方立突出片５８と呼ぶ）が設けられている。これらの方立突出片５６は、いずれも、本体部５２の横方向における挿入側とは反対側に形成され、かつ、本体部５２から交差外方向（つまり、横方向と交差する交差方向（すなわち、見込み方向）かつ外側へ向かう方向）に突出している。
【００４２】
室内側方立突出片５８は、本体部５２の室内側部５２ｃの最も右側（第二Ｃ型断面部４５側）に位置する右端から交差外方向（つまり、見込み方向において室外側から室内側へ向かう方向）に突出している。また、室内側部５２ｃが第二Ｃ型断面部４５の内部（前記内部空間）に入り込んでいるため、室内側方立突出片５８も当該内部に入り込んでいる。そして、当該内部において第二内縦枠４４に係止固定されている。具体的には、室内側方立突出片５８は、第二Ｃ型断面部４５の第二室内側脚部４６ｂよりも右側において第二室内側脚部４６ｂと接触した状態で、第二室内側脚部４６ｂにビス止めされている（図１においては、細線でビス止めを表している）。
【００４３】
室外側方立突出片５７は、本体部５２の室外側部５２ｂの最も右側（第二Ｃ型断面部４５側）に位置する右端から交差外方向（つまり、見込み方向において室内側から室外側へ向かう方向）に突出している。また、室外側部５２ｂが第二Ｃ型断面部４５の内部（前記内部空間）に入り込んでいるため、室外側方立突出片５７も当該内部に入り込んでいる。そして、当該内部において第二内縦枠４４に係止固定されている。
【００４４】
室外側方立突出片５７の第二内縦枠４４への係止固定は、室内側方立突出片５８のようなビス止めによる係止固定ではなく、後述する方立延出部６０との協働により引っ掛け形状が形成されることにより実現されている。
【００４５】
方立延出部６０は、本体部５２の室外側部５２ｂの最も右側（第二Ｃ型断面部４５側）に位置する右端から、横方向に第二Ｃ型断面部４５に向かって延出している。そして、その延出先が第二Ｃ型断面部４５の第二非開口側部分４５ａに当接している。一方で、室外側方立突出片５７は、第二Ｃ型断面部４５の第二内縦枠突出片４７よりも右側（延出先側）において第二内縦枠突出片４７と隣り合っている。そして、方立延出部６０が第二非開口側部分４５ａに当接していることにより、室外側方立突出片５７が第二内縦枠突出片４７よりも延出先側に位置した状態で当該第二内縦枠突出片４７に引っ掛かるようになっている。このことにより、方立延出部６０及び室外側方立突出片５７が、第二内縦枠４４に引っ掛けられ、かつ、嵌められている。
【００４６】
乾式止水材７０は、室外側からの水の浸入を止める止水機能を有する室外側に設置された部材であり、本実施の形態においては、ガスケットが用いられている。この乾式止水材７０は、矩形の横断面形状を備えている（図１参照）。本実施の形態においては、二つの乾式止水材７０（第一乾式止水材７１及び第二乾式止水材７２と呼ぶ）が設けられており、第一乾式止水材７１及び第二乾式止水材７２は、それぞれ第一Ｃ型断面部３５の内部と第二Ｃ型断面部４５の内部に備えられている。
【００４７】
第一乾式止水材７１は、第一開口側脚部３６（第一室外側脚部３６ａ）と、当該第一開口側脚部３６（第一室外側脚部３６ａ）よりも横方向において左側に位置する第一内縦枠突出片３７と、の間に設けられている。そして、横方向において第一室外側脚部３６ａと第一内縦枠突出片３７とに挟まれることにより双方の部材により支持されている。また、第一乾式止水材７１は、見込み方向においては、第一室外側連結部分３５ｂと方立５０の室外側部５２ｂとの間に設けられており、見込み方向において第一室外側連結部分３５ｂと室外側部５２ｂとに挟まれることにより双方の部材により支持されている。
【００４８】
第二乾式止水材７２は、第二開口側脚部４６（第二室外側脚部４６ａ）と、当該第二開口側脚部４６（第二室外側脚部４６ａ）よりも横方向において右側（延出先側）に位置する第二内縦枠突出片４７と、の間に設けられている。そして、横方向において第二室外側脚部４６ａと第二内縦枠突出片４７とに挟まれることにより双方の部材により支持されている。また、第二乾式止水材７２は、見込み方向においては、第二室外側連結部分４５ｂと方立５０の室外側部５２ｂとの間に設けられており、見込み方向において第二室外側連結部分４５ｂと室外側部５２ｂとに挟まれることにより双方の部材により支持されている。
【００４９】
＝＝＝本実施の形態に係る連窓１０の有効性について＝＝＝
上述したとおり、本実施の形態に係る連窓１０は、一対の開口側脚部を備えたＣ型断面部が設けられた縦枠２５を有し、横方向に連続して形成される複数の窓サッシ２０を備え、前記複数の窓サッシ２０のうちの第一窓サッシ３０の第一内縦枠３４と第二窓サッシ４０の第二内縦枠４４が、該第一内縦枠３４の第一開口側脚部３６と該第二内縦枠４４の第二開口側脚部４６が横方向において対向するように配置され、第一内縦枠３４と第二内縦枠４４との間に方立５０が介装されている。
【００５０】
そして、方立５０は、一対の第一開口側脚部３６間に挿入されることにより、第一内縦枠３４に設けられた第一Ｃ型断面部３５の内部に入り込んだ中空形状の本体部５２であって、前記内部において該本体部５２の横方向における挿入側の端（左側部５２ａ）と第一Ｃ型断面部３５の第一非開口側部分３５ａとの間に隙間Ｇを有する本体部５２と、該本体部５２の横方向における挿入側とは反対側に形成され、第二内縦枠４４に設けられた第二Ｃ型断面部４５の内部において該第二内縦枠４４に係止固定された一対の方立突出片５６と、を有している。そのため、方立５０の強度が高く、横幅が小さくかつ外観がシンプルな連窓１０を実現することが可能となる。
【００５１】
すなわち、上述したとおり、方立は窓サッシの縦枠同士を連結する役割を果たすものであるから、方立には強度が要求されるが、従来の連窓においては、この強度が不十分である場合があった。これに対し、本実施の形態においては、図１に示したように、方立５０が、中空形状の本体部５２を備えているので、方立５０の強度を向上させることが可能となる。
【００５２】
また、従来の連窓においては、横方向において互いに対向する第一開口側脚部と第二開口側脚部との間に方立の一部が物理的に存在していた。そのため、連窓の横幅調整の際に、第一窓サッシを第二窓サッシに近づけて横幅を小さくしようとしたときに、互いに近づく第一開口側脚部及び第二開口側脚部が方立の一部に干渉してしまい、横幅をあまり小さくできないという不具合があった。
【００５３】
これに対し、本実施の形態においては、図１に示したように、本体部５２が、第一内縦枠３４に設けられた第一Ｃ型断面部３５の内部に入り込んでいる。さらに、当該内部において本体部５２の横方向における挿入側の端（左側部５２ａ）と第一Ｃ型断面部３５の第一非開口側部分３５ａとの間に隙間Ｇが設けられている。また、一対の方立突出片５６も第二Ｃ型断面部４５の内部において第二内縦枠４４に係止固定されている。このように、本実施の形態においては、連窓１０の横幅調整の際に、第一窓サッシ３０を第二窓サッシ４０に近づけて横幅を小さくしようとしたときに、互いに近づく第一開口側脚部３６及び第二開口側脚部４６が方立５０の一部に干渉することが回避され、かつ、横幅を小さくできるような構成上の工夫が成されている。
【００５４】
また、従来の連窓においては、見込み方向における縦枠の外側に、方立が露出していた。すなわち、見込み方向における縦枠の最も室内側の端よりもさらに室内側に方立が位置していたり、見込み方向における縦枠の最も室外側の端よりもさらに室外側に方立が位置していたりしていた。そのため、当該はみ出した方立により、連窓の外観がシンプルでなくあまり美しくないものとなっていた。
【００５５】
これに対し、本実施の形態においては、図１に示したように、本体部５２が、第一内縦枠３４に設けられた第一Ｃ型断面部３５の内部に入り込んでいる。さらに、一対の方立突出片５６も、第二Ｃ型断面部４５の内部において第二内縦枠４４に係止固定されている。このように、本実施の形態においては、方立５０をＣ型断面部の内部になるべく収めて連窓１０の外観を従来よりもシンプルにするような構成上の工夫が成されている。
【００５６】
以上のことから、本実施の形態によれば、方立５０の強度が高く、横幅が小さくかつ外観がシンプルな連窓１０を実現することが可能となる。
【００５７】
＝＝＝その他の実施の形態＝＝＝
上記の実施の形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００５８】
上記実施の形態に係る連窓１０においては、横方向に連なる窓サッシ２０の数が二つのみであることとしたが、これに限定されるものではなく、三以上の窓サッシ２０が連なっていることとしてもよい。そして、この場合には、隣り合う窓サッシ２０の間には、それぞれ上述した方立５０が介装されることとなる。ただし、隣り合う窓サッシ２０の間全てに、上述した方立５０が介装されることが必ず必要というわけではない（例えば、一部に従来の方立が介装されていてもよい）。
【００５９】
また、上記実施の形態において、方立５０は、横方向に第二Ｃ型断面部４５に向かって延出し、延出先が該第二Ｃ型断面部４５の第二非開口側部分４５ａに当接する方立延出部６０を備え、方立突出片５６は、横方向と交差する交差外方向に突出しており、第二内縦枠４４は、前記交差外方向と逆向きの交差内方向に突出した第二内縦枠突出片４７を備えており、方立突出片５６が第二内縦枠突出片４７よりも前記延出先側に位置した状態で該第二内縦枠突出片４７に引っ掛かることにより、方立５０が第二内縦枠４４に嵌められていることとした。すなわち、方立突出片５６と方立延出部６０により形成された引っ掛け形状により、方立５０が第二内縦枠４４に引っ掛けられ、かつ、嵌められていることとした。
【００６０】
しかしながら、これに限定されるものではなく、このような引っ掛け形状が連窓１０に形成されていないこととしてもよい。
【００６１】
図５に、このような引っ掛け形状が連窓１０に形成されていない例を示す。図５は、第二実施形態に係る連窓１０の横方向における中央部付近を示した横断面図である。第二実施形態においては、上記実施の形態（以下、第一実施形態とも呼ぶ）と同様、室内側方立突出片５８は、第二開口側脚部４６（第二室内側脚部４６ｂ）にビス止めされている。一方で、第一実施形態とは異なり、室内側方立突出片５８だけでなく、室外側方立突出片５７も、第二開口側脚部４６（第二室外側脚部４６ａ）にビス止めされている。なお、第一実施形態の方立延出部６０に対応した部材は、第二実施形態においては設けられていない。
【００６２】
すなわち、室外側方立突出片５７は、本体部５２の室外側部５２ｂの最も右側（第二Ｃ型断面部４５側）に位置する右端から交差外方向（つまり、見込み方向において室内側から室外側へ向かう方向）に突出している。また、室外側部５２ｂが第二Ｃ型断面部４５の内部（前記内部空間）に入り込んでいるため、室外側方立突出片５７も当該内部に入り込んでいる。そして、当該内部において第二内縦枠４４に係止固定されている。具体的には、室外側方立突出片５７は、第二Ｃ型断面部４５の第二室外側脚部４６ａよりも右側において第二室外側脚部４６ａと接触した状態で、第二室外側脚部４６ａにビス止めされている（図５においては、細線でビス止めを表している）。
【００６３】
ただし、方立突出片５６と方立延出部６０による引っ掛け形状が方立５０に設けられている第一実施形態の方が以下の点で望ましい。すなわち、第二実施形態と比べて、ビスの数を減らすことが可能となる（部品点数を減らすことが可能となる）。また、引っ掛け形状による固定はビス止めによる固定よりも強い係止固定となるため、以下に説明する目板１０２と目板カバー１０４の設置を省略することが可能となる。
【００６４】
すなわち、第二実施形態においては、窓サッシ２０の連結を補強するために、目板１０２が設けられている。この目板１０２は、第一内縦枠３４及び第二内縦枠４４よりも室内側に位置した状態で、第一内縦枠３４及び第二内縦枠４４（具体的には、第一Ｃ型断面部３５の第一室内側連結部分３５ｃ及び第二Ｃ型断面部４５の第二室内側連結部分４５ｃ）と接触している。そして、かかる接触状態で、目板１０２は、第一室内側連結部分３５ｃ及び第二室内側連結部分４５ｃの双方に各１箇所で、ビス止めされている（図５においては、細線でビス止めを表している）。また、目板１０２よりもさらに室内側には、目板１０２を隠して（露出させないようにして）見栄えを向上させるために、目板カバー１０４が嵌着されている。
【００６５】
このように、第二実施形態においては、目板１０２と目板カバー１０４が必要となるが、第一実施形態においては、引っ掛け形状の導入により、このような部材を省略することが可能となる（部品点数を減らすことが可能となる）。
【００６６】
また、第一実施形態において、第二内縦枠突出片４７は、第二開口側脚部４６（第二室外側脚部４６ａ）よりも横方向において前記延出先側に位置し、第二内縦枠突出片４７と第二開口側脚部４６（第二室外側脚部４６ａ）との間に乾式止水材７０（第二乾式止水材７２）が設けられていることとした。しかしながら、これに限定されず、例えば、乾式止水材７０を設けずに、代わりに、湿式止水材１１２を設けるようにしてもよい。
【００６７】
図６に、湿式止水材１１２が連窓１０に設けられた例を示す。図６は、第三実施形態に係る連窓１０の横方向における中央部付近を示した横断面図である。
【００６８】
湿式止水材１１２は、室外側からの水の浸入を止める止水機能を有する室外側に設置された部材であり、第三実施形態においては、シーリング材が用いられている。この湿式止水材１１２は、固化後には、矩形の横断面形状を備える（図６参照）。第三実施形態においては、湿式止水材１１２が第一Ｃ型断面部３５と第二Ｃ型断面部４５の間（具体的には、第一室外側脚部３６ａと第二室外側脚部４６ａとの間）に設けられている。
【００６９】
ただし、第一実施形態の方が、以下の点で望ましい。第一実施形態においては、引っ掛け形状を構成するために、方立突出片５６（室外側方立突出片５７）を引っ掛けるための第二内縦枠突出片４７が設けられているが、この第二内縦枠突出片４７を、乾式止水材７０を設ける（支持する）ための部材としても使用している。すなわち、第一実施形態においては、第二内縦枠突出片４７に二種類の機能を持たせることにより、効率的な構成を備えた連窓１０が実現される。さらに、このことにより、湿式止水材１１２ではなく、乾式止水材７０を用いることができ、外壁へのシーリング材の汚れ等を抑えることが可能となる。
【００７０】
また、第一実施形態において、第一内縦枠３４は、横方向と交差する交差内方向に突出した第一内縦枠突出片３７を備えており、第一内縦枠突出片３７と第一開口側脚部３６（第一室外側脚部３６ａ）との間に乾式止水材７０（第一乾式止水材７１）が設けられていることとした。すなわち、第一実施形態においては、（第二内縦枠突出片４７とは異なり、単一機能であるが）第一内縦枠突出片３７を設置し、第二乾式止水材７２のみならず第一乾式止水材７１も設けることとした、しかしながら、これに限定されるものではなく、第二乾式止水材７２のみが設けられている実施形態が排除されるものではない。ただし、止水機能が向上する点で第一実施形態の方が望ましい。
【００７１】
なお、第三実施形態においても、第一実施形態と同様、方立突出片５６と方立延出部６０による引っ掛け形状が方立５０に設けられているが、以下の点で第一実施形態とは異なっている。
【００７２】
すなわち、第一実施形態においては、引っ掛け形状が室外側に設けられているのに対し、第三実施形態においては、引っ掛け形状が室内側に設けられている。また、第一実施形態においては、方立突出片５６が第二内縦枠突出片４７に引っ掛かるようになっているのに対し、第三実施形態においては、方立突出片５６が第二開口側脚部４６（第二内向き片に相当）に引っ掛かるようになっている。
【００７３】
具体的には、方立突出片５６（室内側方立突出片５８）は、本体部５２の室内側部５２ｃの最も右側（第二Ｃ型断面部４５側）に位置する右端から交差外方向（つまり、見込み方向において室外側から室内側へ向かう方向）に突出している。また、室内側部５２ｃが第二Ｃ型断面部４５の内部（前記内部空間）に入り込んでいるため、室内側方立突出片５８も当該内部に入り込んでいる。そして、当該内部において第二内縦枠４４に係止固定されている。
【００７４】
室内側方立突出片５８の第二内縦枠４４への係止固定は、方立延出部６０との協働により引っ掛け形状が形成されることにより実現されている。方立延出部６０は、本体部５２の室内側部５２ｃの最も右側（第二Ｃ型断面部４５側）に位置する右端から、横方向に第二Ｃ型断面部４５に向かって延出している。そして、その延出先が第二Ｃ型断面部４５の第二非開口側部分４５ａに当接している。一方で、室内側方立突出片５８は、第二Ｃ型断面部４５の第二開口側脚部４６（第二室内側脚部４６ｂ）よりも右側（延出先側）において第二開口側脚部４６（第二室内側脚部４６ｂ）と隣り合っている。そして、方立延出部６０が第二非開口側部分４５ａに当接していることにより、室内側方立突出片５８が第二開口側脚部４６（第二室内側脚部４６ｂ）よりも延出先側に位置した状態で当該第二開口側脚部４６（第二室内側脚部４６ｂ）に引っ掛かるようになっている。このことにより、方立延出部６０及び室内側方立突出片５８が、第二内縦枠４４に引っ掛けられ、かつ、嵌められている。
【００７５】
このように、引っ掛け形状は室外側及び室内側のどちらに設けられていてもよいし、また、方立突出片５６は、第二内縦枠突出片４７及び第二開口側脚部４６のいずれに引っ掛かるようにしてもよい。また、第三実施形態においては、引っ掛け形状が設けられているため、第一実施形態と同様、目板１０２と目板カバー１０４が省略されている。そのため、図６に示すように、部屋間のパーティション等の内装材１１４を、横方向において第一内縦枠３４及び第二内縦枠４４に対応した位置に、適切に設置することが可能となる（第二実施形態の場合には、図５から明らかなように、内装材１１４と目板１０２及び目板カバー１０４との干渉が発生し得る）。なお、第一実施の形態においては、内装材が図示されていないが、当然のことながら、第三実施形態と同様の位置に内装材を設置可能である。
【００７６】
また、上記実施の形態においては、第一内縦枠３４全体（第二内縦枠４４全体）が第一Ｃ型断面部３５（第二Ｃ型断面部４５）となっている例を挙げたが、これに限定されるものではない。例えば、図７（第四実施形態）に示すように、第一内縦枠３４（第二内縦枠４４）の一部が第一Ｃ型断面部３５（第二Ｃ型断面部４５）となっている場合であってもよい。なお、図７は、第四実施形態に係る連窓１０の横方向における中央部付近を示した横断面図である。
【符号の説明】
【００７７】
１０  連窓、２０  窓サッシ
２２  枠体、２２ｂ  内枠体、２５  縦枠
３０  第一窓サッシ
３４  第一内縦枠、３５  第一Ｃ型断面部
３５ａ  第一非開口側部分
３６  第一開口側脚部、３６ａ  第一室外側脚部、３６ｂ  第一室内側脚部
３７  第一内縦枠突出片
４０  第二窓サッシ
４４  第二内縦枠、４５  第二Ｃ型断面部
４５ａ  第二非開口側部分
４６  第二開口側脚部、４６ａ  第二室外側脚部、４６ｂ  第二室内側脚部
４７  第二内縦枠突出片
５０  方立、５２  本体部
５６  方立突出片、５７  室外側方立突出片、５８  室内側方立突出片
６０  方立延出部
７０  乾式止水材、７１  第一乾式止水材、７２  第二乾式止水材
Ｇ  隙間
【図１】
2015232227.tif 000003
【図２】
2015232227.tif 000004
【図３】
2015232227.tif 000005
【図４】
2015232227.tif 000006
【図５】
2015232227.tif 000007
【図６】
2015232227.tif 000008
【図７】
2015232227.tif 000009